(57)【要約】種々のサイズおよびタイプを有する歯科器具システム（１、３、１３）および調整や面会なしに種々の年代の患者の不正咬合を治療する方法。歯科器具（１、３、１３）は、例えば、６歳以下、６歳から１２歳、および１２歳以上の年齢域の患者を治療する大きさである。歯科器具（１、３、１３）は、切歯、犬歯、大臼歯、小臼歯、脱落性臼歯、大人の歯などの１本以上の歯のためのソケットやスロットを予め形成し、あるいはカスタマイズする。歯科器具は、フリーサイズタイプの歯科器具であってもよい。歯科器具は、例えば、オーバーバイト、オーバージェット、叢生、離間、側頭下顎骨接合問題などの不正咬合を治療するために用いられる。
2006500114.tif 000002
【特許請求の範囲】
【請求項１】
１以上のタイプの歯を有するユーザの口腔内に装着される歯科器具であって、
前記歯と接触する平坦な咬合面を有する一般にＵ字形状の基部と、
前記咬合面から延伸し、内部表面を画定する第１の壁部と、
前記咬合面から延伸し、外部表面を画定する第２の壁部とを備え、
前記第１の壁部と前記第２の壁部が前記咬合面の幅を画定し、該幅は、前記基部が前記口腔内の前部と接触する前記基部の第１の位置から前記口腔内でさらに後方に延伸する第２の位置まで増加させ得るよう構成されることを特徴とする歯科器具。
【請求項２】
前記第１の位置は、切歯タイプの歯に接触する請求項１に記載の歯科器具。
【請求項３】
前記第２の位置は、犬歯タイプの歯に接触する請求項１に記載の歯科器具。
【請求項４】
前記内部表面内に形成され、前記ユーザの口腔内の後方に延伸する舌タブをさらに備える請求項１に記載の歯科器具。
【請求項５】
前記基部は、水分吸収材料から構成される請求項１に記載の歯科器具。
【請求項６】
前記基部は、第１の材料と第２の材料から構成され、該第１の材料が該第２の材料よりも柔らかい請求項１に記載の歯科器具。
【請求項７】
前記基部に形成される吸盤をさらに備える請求項１に記載の歯科器具。
【請求項８】
犬歯を含む１以上のタイプの歯を有するユーザの口腔内に装着される歯科器具であって、
装着時に前記歯に接触する咬合面を有する一般にＵ字形状の基部と、
前記咬合面内に形成され、それぞれが犬歯に向けて延伸し、前記犬歯に接触することにより前記犬歯を移動して、前記口腔内の不正咬合を防止する頂部を形成するウェッジと、
を備えることを特徴とする歯科器具。
【請求項９】
前記Ｕ字形状の基部に取り付けられ、咬合面を有する第２の基部をさらに備える請求項８に記載の歯科器具。
【請求項１０】
犬歯ではない第２のタイプの歯を収容する大きさの１以上のソケットをさらに備える請求項８に記載の歯科器具。
【請求項１１】
前記Ｕ字形状の基部は、第２のタイプの歯と接触する第２の領域よりも第１のタイプの歯と接触する第１の領域が厚い請求項８に記載の歯科器具。
【請求項１２】
前記Ｕ字形状の基部内に埋め込まれたワイヤをさらに備える請求項８に記載の歯科器具。
【請求項１３】
前記Ｕ字形状の基部は、前記歯の少なくとも１本に接触するが、すべての歯には接触しない大きさである請求項８に記載の歯科器具。
【請求項１４】
複数の歯を有するユーザの口腔内に装着される歯科器具であって、
一般にＵ字形状の基部と、
前記基部内に設けられる複数のソケットと、
前記口腔に接触し、前記基部を前記口腔内に装着したとき、前記基部の移動を防止するよう前記口腔に接着する凹面を有し、前記基部から延伸する吸盤と、
を備えることを特徴とする歯科器具。
【請求項１５】
前記吸盤は、前記基部に取り外し可能に取り付けられる請求項１４に記載の歯科器具。
【請求項１６】
前記複数のソケットは予め形成されている請求項１４に記載の歯科器具。
【請求項１７】
前記複数のソケットはカスタマイズされる請求項１４に記載の歯科器具。
【請求項１８】
前記基部上に形成され、前記ユーザの歯に接触するウェッジをさらに備える請求項１４に記載の歯科器具。
【請求項１９】
前記複数のソケットは平坦である請求項１４に記載の歯科器具。
【請求項２０】
前記基部が前記口腔内で移動するのを防止するように、前記口腔に接触する表面を有し、前記基部上に設けられるライナをさらに備える請求項１４に記載の歯科器具。
【発明の詳細な説明】
【技術分野】
【０００１】
本発明は、種々のサイズやタイプを有する歯科器具のシステムに関する。それは、調整や面会なしに満足する歯科矯正結果を得るために、子供、青年、大人の患者を治療するために用いられ、処方箋なしで直接この歯科器具を購入することができる。種々の歯科器具は、例えば、オーバージェット、オーバーバイト、側頭下顎骨問題、叢生、捻転、離間などの不正咬合を治療する。
【背景技術】
【０００２】
患者へ歯科治療を提供することが一般に知られている。典型的には、患者は、例えば、医療機関のオフィスで、歯科医や他の医療機関を訪問する。患者を診察した歯科医は、患者の状態を治療するために歯科器具を患者に提供する。例えば、患者は、口腔内に設置される歯科器具を必要とするオーバーバイトであるかもしれない。
【０００３】
口腔内に歯科器具を設置した後の歯科治療は、例えば、ほとんどのあるいはすべての歯への固定ブラケットアタッチメントやバンドを必要とする。さらに、調整可能なワイヤを用いて、例えば、輪ゴム、バネ、ワイヤ、レバーなどにより歯に力を与え、患者の歯を適切な位置に移動させる。歯の誘導には、しばしば１回以上の調整や歯科オフィスの訪問を必要とする。結果として、患者は、歯科治療を受けるためにかなりの時間を割く必要がある。
【０００４】
また、歯科治療を単純化し、患者の時間浪費やコストを低減する試みとして、種々の取り外し可能な歯科器具が開発された。これらのほとんどは、１本か２本の特定の歯の移動や問題を矯正するが、すべての生歯を矯正はしない。
【０００５】
他の公知の歯科器具は、生歯への影響を単純化する歯科器具を設計する試みで、予め形成されたソケットを一つの溝かスロットと取り替えている。しかしながら、これらの１スロットの歯科器具は、正中線、空隙閉鎖、オーバーバイト、萠出案内、オーバージェット、側頭下顎骨接合問題、捻転、叢生などを矯正する際に種々の問題を引き起こす。
【０００６】
例えば、１スロットの歯科器具は、中間方向に前後で、口腔の一方において、口腔の前部で左から右へ力を与えることができるように、スロット内に障害となるものがない。結果として、ユーザの正中線を矯正することができず、オーバージェットが存在しないときの歯間に存在する空隙を閉鎖することができない。オーバーバイトを適切に矯正するためには、口腔の前部における空隙閉鎖は不可欠であり、それゆえ、オーバーバイトを十分に矯正することができない。オーバーバイト矯正の欠如状態でオーバージェットを矯正するのは、初めに存在しているときには、矯正できない側頭下顎骨接合問題を引き起こす。歯の萠出時にユーザがソケットを有さない歯科器具を装着すれば、歯の適切な案内を達成することができない。さらに、叢生や捻転が発生し、存在するならば、適切な矯正ができない。
【０００７】
さらに、一つの溝かスロットを有する公知の歯科器具は、第１の年齢層の患者を治療し得るが、第２の年齢層の患者を治療するような大きさでも設計でもない。
【０００８】
それゆえ、種々のサイズやタイプを有する歯科器具のシステムと、調整なしに種々な年齢の患者の不正咬合を治療するための方法の要望が存在する。この歯科器具は、種々の年齢の患者を治療することができ、あらゆる調整や訪問なしに満足する結果を効果的に得る。
【発明の開示】
【０００９】
本発明は、種々のサイズとタイプを有する歯科器具のシステムおよび調整や訪問なしに種々の年齢の患者の不正咬合を治療する方法に関する。一般に、患者は、生歯の異なる発育段階で萠出する歯の異なるセットを持っている。したがって、一実施形態では、システム内の歯科器具は、切歯、犬歯、小臼歯、脱落性臼歯や、患者の年齢や歯の数に依存して、患者の不正咬合を特に矯正する大きさの大人の歯を収容する領域を有する。
【００１０】
上記目的を達成するために、本発明の一実施形態では、歯科器具は、１以上のタイプの歯を有するユーザの口腔内に装着される。前記歯科器具は、前記歯と接触する平坦な咬合面を有する一般にＵ字形状の基部を有する。また、前記歯科器具は、前記咬合面から延伸し、内部表面を画定する第１の壁部を有する。さらに、前記歯科器具は、前記咬合面から延伸し、外部表面を画定する第２の壁部とを備え、前記第１の壁部と前記第２の壁部が前記咬合面の幅を画定し、該幅は、前記基部が前記口腔内の前部と接触する前記基部の第１の位置から前記口腔内でさらに後方に延伸する第２の位置まで増加させ得るよう構成される。
【００１１】
一実施形態では、前記第１の位置は、切歯タイプの歯に接触する。
【００１２】
一実施形態では、前記第２の位置は、犬歯タイプの歯に接触する。
【００１３】
一実施形態では、前記歯科器具は、前記内部表面内に形成され、前記ユーザの口腔内の後方に延伸する舌タブをさらに備える。
【００１４】
一実施形態では、前記基部は、水分吸収材料から構成される。
【００１５】
一実施形態では、前記基部は、第１の材料と第２の材料から構成され、該第１の材料が該第２の材料よりも柔らかい。
【００１６】
一実施形態では、前記歯科器具は、前記基部に形成される吸盤をさらに備える。
【００１７】
本発明のもう一つの実施形態では、歯科器具は、犬歯を含む１以上のタイプの歯を有するユーザの口腔内に装着される。前記歯科器具は、装着時に前記歯に接触する咬合面を有する一般にＵ字形状の基部を有する。また、前記歯科器具は、前記咬合面内に形成され、それぞれが犬歯に向けて延伸し、前記犬歯に接触することにより前記犬歯を移動して、前記口腔内の不正咬合を防止する頂部を形成するウェッジを有する。
【００１８】
一実施形態では、前記歯科器具は、前記Ｕ字形状の基部に取り付けられ、咬合面を有する第２の基部をさらに備える。
【００１９】
一実施形態では、前記歯科器具は、犬歯ではない第２のタイプの歯を収容する大きさの１以上のソケットをさらに備える。
【００２０】
一実施形態では、前記Ｕ字形状の基部は、第２のタイプの歯と接触する第２の領域よりも第１のタイプの歯と接触する第１の領域が厚い。
【００２１】
一実施形態では、前記歯科器具は、前記Ｕ字形状の基部内に埋め込まれたワイヤをさらに備える。
【００２２】
一実施形態では、前記Ｕ字形状の基部は、前記歯の少なくとも１本に接触するが、すべての歯には接触しない大きさである。
【００２３】
本発明の別の実施形態では、歯科器具は、複数の歯を有するユーザの口腔内に装着される。前記歯科器具は、一般にＵ字形状の基部を有する。また、前記歯科器具は、前記基部内に設けられる複数のソケットを有する。さらに、前記歯科器具は、前記口腔に接触し、前記基部を前記口腔内に装着したとき、前記基部の移動を防止するよう前記口腔に接着する凹面を有し、前記基部から延伸する吸盤を有する。
【００２４】
一実施形態では、前記吸盤は、前記基部に取り外し可能に取り付けられる。
【００２５】
一実施形態では、前記複数のソケットは予め形成されている。
【００２６】
一実施形態では、前記複数のソケットはカスタマイズされる。
【００２７】
一実施形態では、前記歯科器具は、前記基部上に形成され、前記ユーザの歯に接触するウェッジをさらに備える。
【００２８】
一実施形態では、前記複数のソケットは平坦である。
【００２９】
一実施形態では、前記歯科器具は、前記基部が前記口腔内で移動するのを防止するように、前記口腔に接触する表面を有し、前記基部上に設けられるライナをさらに備える。
【００３０】
したがって、本発明の利点は、種々のサイズやタイプを有する歯科器具のシステムおよび調整なしに種々の年齢の患者の不正咬合を治療する方法を提供することにある。
【００３１】
本発明のもう一つの利点は、上顎犬歯を整列することができる、種々のサイズやタイプを有する歯科器具のシステムおよび調整や訪問なしに種々の年齢の患者の不正咬合を治療する方法を提供することにある。
【００３２】
本発明のさらなる利点は、下顎犬歯を整列することができる、種々のサイズやタイプを有する歯科器具のシステムおよび調整や訪問なしに種々の年齢の患者の不正咬合を治療する方法を提供することにある。
【００３３】
本発明のさらに別の利点は、上顎正中線や下顎正中線を矯正することができる、種々のサイズやタイプを有する歯科器具のシステムおよび調整や訪問なしに種々の年齢の患者の不正咬合を治療する方法を提供することにある。
【００３４】
さらに、本発明の利点は、上顎前方空隙を閉鎖することができる、種々のサイズやタイプを有する歯科器具のシステムおよび調整や訪問なしに種々の年齢の患者の不正咬合を治療する方法を提供することにある。
【００３５】
本発明のさらなる利点は、下顎前方空隙を閉鎖することができる、種々のサイズやタイプを有する歯科器具のシステムおよび調整や訪問なしに種々の年齢の患者の不正咬合を治療する方法を提供することにある。
【００３６】
本発明のもう一つの利点は、上顎切歯を回転することができる、種々のサイズやタイプを有する歯科器具のシステムおよび調整や訪問なしに種々の年齢の患者の不正咬合を治療する方法を提供することにある。
【００３７】
本発明のさらなる利点は、下顎切歯を回転することができる、種々のサイズやタイプを有する歯科器具のシステムおよび調整や訪問なしに種々の年齢の患者の不正咬合を治療する方法を提供することにある。
【００３８】
本発明のさらにもう一つの利点は、オーバーバイトを矯正することができる、種々のサイズやタイプを有する歯科器具のシステムおよび調整や訪問なしに種々の年齢の患者の不正咬合を治療する方法を提供することにある。
【００３９】
さらに、本発明の利点は、オーバージェットを矯正することができる、種々のサイズやタイプを有する歯科器具のシステムおよび調整や訪問なしに種々の年齢の患者の不正咬合を治療する方法を提供することにある。
【００４０】
また、本発明の利点は、下顎を発育した位置に維持することができる、種々のサイズやタイプを有する歯科器具のシステムおよび調整や訪問なしに種々の年齢の患者の不正咬合を治療する方法を提供することにある。
【００４１】
本発明のさらなる利点は、より効率的な下顎成長による増進した下顎前方発達による再発を少なくすることができる、種々のサイズやタイプを有する歯科器具のシステムおよび調整や訪問なしに種々の年齢の患者の不正咬合を治療する方法を提供することにある。
【００４２】
本発明のさらなる利点は、衰えた上顎成長による再発を少なくすることができる、種々のサイズやタイプを有する歯科器具のシステムおよび調整や訪問なしに種々の年齢の患者の不正咬合を治療する方法を提供することにある。
【００４３】
本発明のもう一つの利点は、効率的な後方咬頭嵌合を提供することができる、種々のサイズやタイプを有する歯科器具のシステムおよび調整や訪問なしに種々の年齢の患者の不正咬合を治療する方法を提供することにある。
【００４４】
本発明のさらなる利点は、患者の年齢に特有のよりカスタマイズされた縁のために歯肉炎を起こさない、種々のサイズやタイプを有する歯科器具のシステムおよび調整や訪問なしに種々の年齢の患者の不正咬合を治療する方法を提供することにある。
【００４５】
本発明のさらに別の利点は、よりカスタマイズされた適合のためによりしっかりした装着を提供することができる、種々のサイズやタイプを有する歯科器具のシステムおよび調整や訪問なしに種々の年齢の患者の不正咬合を治療する方法を提供することにある。
【００４６】
さらに、本発明の利点は、上顎小臼歯の頬舌側および中間側への規制を提供することができる、種々のサイズやタイプを有する歯科器具のシステムおよび調整や訪問なしに種々の年齢の患者の不正咬合を治療する方法を提供することにある。
【００４７】
本発明のもう一つの利点は、下顎小臼歯の頬舌側および中間側への規制を提供することができる、種々のサイズやタイプを有する歯科器具のシステムおよび調整や訪問なしに種々の年齢の患者の不正咬合を治療する方法を提供することにある。
【００４８】
さらに、本発明の利点は、上顎大臼歯の頬舌側および中間側への規制を提供することができる、種々のサイズやタイプを有する歯科器具のシステムおよび調整や訪問なしに種々の年齢の患者の不正咬合を治療する方法を提供することにある。
【００４９】
本発明のさらなる利点は、下顎大臼歯の頬舌側および中間側への規制を提供することができる、種々のサイズやタイプを有する歯科器具のシステムおよび調整や訪問なしに種々の年齢の患者の不正咬合を治療する方法を提供することにある。
【００５０】
本発明のさらにもう一つの利点は、叢生歯のために増加した空隙量を提供することができる、種々のサイズやタイプを有する歯科器具のシステムおよび調整や訪問なしに種々の年齢の患者の不正咬合を治療する方法を提供することにある。
【００５１】
さらに、本発明の利点は、カスタマイズされた適合のために患者の口腔との協同を提供することができる、種々のサイズやタイプを有する歯科器具のシステムおよび調整や訪問なしに種々の年齢の患者の不正咬合を治療する方法を提供することにある。
【００５２】
本発明のさらなる利点は、固定された歯列矯正の必要性を減らし、歯を矯正することができる、種々のサイズやタイプを有する歯科器具のシステムおよび調整や訪問なしに種々の年齢の患者の不正咬合を治療する方法を提供することにある。
【００５３】
本発明のさらなる利点は、患者を診断しあるいは観察する専門の医療機関の必要なく、処方箋不要の方法で公衆に直接歯科器具を販売するための歯列矯正の技術と方法を提供することができる、種々のサイズやタイプを有する歯科器具のシステムおよび調整や訪問なしに種々の年齢の患者の不正咬合を治療する方法を提供することにある。
【００５４】
本発明のさらに別の利点は、調整なく歯列矯正治療を提供することができる、種々のサイズやタイプを有する歯科器具のシステムおよび調整や訪問なしに種々の年齢の患者の不正咬合を治療する方法を提供することにある。
【００５５】
本発明のさらなる利点は、面会なく歯列矯正治療を提供することができる、種々のサイズやタイプを有する歯科器具のシステムおよび調整や訪問なしに種々の年齢の患者の不正咬合を治療する方法を提供することにある。
【００５６】
本発明のもう一つの利点は、公知の歯科器具よりも高く厚い縁を有し、不適当に萠出する切歯、犬歯および小臼歯を適切な咬合位置に案内することができる、種々のサイズやタイプを有する歯科器具のシステムおよび調整や訪問なしに種々の年齢の患者の不正咬合を治療する方法を提供することにある。
【００５７】
さらに、本発明の利点は、異なる歯の交差咬合を矯正することができる、種々のサイズやタイプを有する歯科器具のシステムおよび調整や訪問なしに種々の年齢の患者の不正咬合を治療する方法を提供することにある。
【００５８】
本発明のさらにもう一つの利点は、歯科器具の縁内で交差咬合ワイヤを収容することができる、種々のサイズやタイプを有する歯科器具のシステムおよび調整や訪問なしに種々の年齢の患者の不正咬合を治療する方法を提供することにある。
【００５９】
本発明のさらなる利点は、歯科器具のソケットあるいはスロット内にリライナを収容することができる、種々のサイズやタイプを有する歯科器具のシステムおよび調整や訪問なしに種々の年齢の患者の不正咬合を治療する方法を提供することにある。
【００６０】
本発明のさらなる利点は、歯科器具の網目のざらざらした表面の結果として、リライナを歯科器具に保持させることができる、種々のサイズやタイプを有する歯科器具のシステムおよび調整や訪問なしに種々の年齢の患者の不正咬合を治療する方法を提供することにある。
【００６１】
本発明のもう一つの利点は、犬歯の萠出を抑制するためにスロット内にとがった咬頭を有することができる、種々のサイズやタイプを有する歯科器具のシステムおよび調整や訪問なしに種々の年齢の患者の不正咬合を治療する方法を提供することにある。
【００６２】
本発明のさらにもう一つの利点は、切歯を回転するために、ソケットあるいはスロット内に鋭利な切縁部を有することができる、種々のサイズやタイプを有する歯科器具のシステムおよび調整や訪問なしに種々の年齢の患者の不正咬合を治療する方法を提供することにある。
【００６３】
さらに、本発明の利点は、切歯や犬歯に対する抑制力をもたらすソケットあるいはスロット内の鋭利な咬頭または切縁部を有することができる、種々のサイズやタイプを有する歯科器具のシステムおよび調整や訪問なしに種々の年齢の患者の不正咬合を治療する方法を提供することにある。
【００６４】
本発明のさらなる利点は、異なるアーチ形状を制御することができる、種々のサイズやタイプを有する歯科器具のシステムおよび調整や訪問なしに種々の年齢の患者の不正咬合を治療する方法を提供することにある。
【００６５】
本発明のもう一つの利点は、中間に歯を案内するのを助けるために隣接歯間リブを有することができる、種々のサイズやタイプを有する歯科器具のシステムおよび調整や訪問なしに種々の年齢の患者の不正咬合を治療する方法を提供することにある。
【００６６】
本発明のさらなる利点は、細長い隆起に、唇領域や頬領域や舌領域で中間および末端の表面上の圧力で歯を回転させることにより、歯を回転することができる、種々のサイズやタイプを有する歯科器具のシステムおよび調整や訪問なしに種々の年齢の患者の不正咬合を治療する方法を提供することにある。
【００６７】
本発明のさらにもう一つの利点は、白くするストリップ（ホワイトニングストリップ）をうまく保持するために、唇表面上に歯科器具の切縁領域にわたってざらざらした領域を有することができる、種々のサイズやタイプを有する歯科器具のシステムおよび調整や訪問なしに種々の年齢の患者の不正咬合を治療する方法を提供することにある。
【００６８】
本発明のさらなる利点は、白くするジェル（ホワイトニングジェル）をうまく保持するために、唇表面上に歯科器具の切縁領域にわたってざらざらした領域を有することができる、種々のサイズやタイプを有する歯科器具のシステムおよび調整や訪問なしに種々の年齢の患者の不正咬合を治療する方法を提供することにある。
【００６９】
本発明のさらなる利点は、フッ化物溶液やジェルを吸い取り、歯の腐敗を防止することができる、種々のサイズやタイプを有する歯科器具のシステムおよび調整や訪問なしに種々の年齢の患者の不正咬合を治療する方法を提供することにある。
【００７０】
さらに、本発明の利点は、オーバーバイトやガミースマイルの発達を防ぐことができる、種々のサイズやタイプを有する歯科器具のシステムおよび調整や訪問なしに種々の年齢の患者の不正咬合を治療する方法を提供することにある。
【００７１】
本発明の追加の利点は、患者の口腔の前部に接触し、そこを治療することができる、種々のサイズやタイプを有する歯科器具のシステムおよび調整や訪問なしに種々の年齢の患者の不正咬合を治療する方法を提供することにある。
【００７２】
本発明のさらにもう一つの利点は、歯をまるごと移動し、あるいは歯を回転するために、歯科器具のソケット内の内部表面上に吸盤を有することができる、種々のサイズやタイプを有する歯科器具のシステムおよび調整や訪問なしに種々の年齢の患者の不正咬合を治療する方法を提供することにある。
【００７３】
本発明のさらなる利点は、１本または複数の歯を回転させ、あるいは押し下げ得る歯科器具の内部に接着あるいは取り付けられたエラストマー材料やひもを有することができる、種々のサイズやタイプを有する歯科器具のシステムおよび調整や訪問なしに種々の年齢の患者の不正咬合を治療する方法を提供することにある。
【００７４】
本発明のもう一つの利点は、コンピュータによって設計され、真空装置または圧縮装置やステレオリソグラフィによってコンピュータから加工され得る、種々のサイズやタイプを有する歯科器具のシステムおよび調整や訪問なしに種々の年齢の患者の不正咬合を治療する方法を提供することにある。
【００７５】
本発明のさらなる利点は、一つのアーチの歯だけを矯正することができる、種々のサイズやタイプを有する歯科器具のシステムおよび調整や訪問なしに種々の年齢の患者の不正咬合を治療する方法を提供することにある。
【００７６】
さらに、本発明の利点は、処方箋不要で販売され得る、種々のサイズやタイプを有する歯科器具のシステムおよび調整や訪問なしに種々の年齢の患者の不正咬合を治療する方法を提供することにある。
【００７７】
本発明のさらにもう一つの利点は、生歯の叢生や離間を矯正することができる、種々のサイズやタイプを有する歯科器具のシステムおよび調整や訪問なしに種々の年齢の患者の不正咬合を治療する方法を提供することにある。
【００７８】
本発明の追加の利点は、歯とジェルとの間の接触を維持しつつ、患者の頬の唇表面の柔組織に材料を適用することなく、歯にフッ素を添加し、あるいは白くすることができる、種々のサイズやタイプを有する歯科器具のシステムおよび調整や訪問なしに種々の年齢の患者の不正咬合を治療する方法を提供することにある。
【００７９】
本発明のさらなる利点は、終端間の関係で下顎の発達による側頭下顎骨接合（ＴＭＪ）問題を矯正するために、奥歯に比べ、前歯を分離する増加した垂直距離を提供することができる、種々のサイズやタイプを有する歯科器具のシステムおよび調整や訪問なしに種々の年齢の患者の不正咬合を治療する方法を提供することにある。
【００８０】
本発明のさらなる利点は、オーバージェットと前歯下顎後退を矯正することができる、種々のサイズやタイプを有する歯科器具のシステムおよび調整や訪問なしに種々の年齢の患者の不正咬合を治療する方法を提供することにある。
【００８１】
本発明のさらにもう一つの利点は、歯の動きを制限する第１の領域においてより堅い材料から構成され、患者に痛みを感じさせることなく、歯を回転・移動させる第２の領域においてより柔らかい材料から構成され得る、種々のサイズやタイプを有する歯科器具のシステムおよび調整や訪問なしに種々の年齢の患者の不正咬合を治療する方法を提供することにある。
【００８２】
本発明のもう一つの利点は、アーチを伸縮可能な、歯科器具に組み込まれたワイヤを有することができる、種々のサイズやタイプを有する歯科器具のシステムおよび調整や訪問なしに種々の年齢の患者の不正咬合を治療する方法を提供することにある。
【００８３】
本発明のさらなる利点は、前歯を整列するために、前歯の唇表面と舌表面に搾出力を与え得るダブルワイヤを利用することができる、種々のサイズやタイプを有する歯科器具のシステムおよび調整や訪問なしに種々の年齢の患者の不正咬合を治療する方法を提供することにある。
【００８４】
本発明の追加の利点は、歯科器具の正確なサイズを得るために、一本以上の歯を測定する測定装置を利用することができる、種々のサイズやタイプを有する歯科器具のシステムおよび調整や訪問なしに種々の年齢の患者の不正咬合を治療する方法を提供することにある。
【００８５】
本発明のさらなる利点は、歯を矯正・整列するために互いに協調して、完全に予め形成された歯のソケットやスロット、あるいは歯のソケットと予め形成されたスロットの組み合わせを有することができる、種々のサイズやタイプを有する歯科器具のシステムおよび調整や訪問なしに種々の年齢の患者の不正咬合を治療する方法を提供することにある。
【００８６】
本発明のさらなる利点は、患者からのモデルから設計され、あるいは、コンピュータやステレオリソグラフィからのデジタルモデルから得られた完全にオーダーメイドのソケットやスロットを有することができる、種々のサイズやタイプを有する歯科器具のシステムおよび調整や訪問なしに種々の年齢の患者の不正咬合を治療する方法を提供することにある。
【００８７】
本発明のさらなる利点は、公知の歯科器具より大きい空隙閉鎖を提供することができる、種々のサイズやタイプを有する歯科器具のシステムおよび調整や訪問なしに種々の年齢の患者の不正咬合を治療する方法を提供することにある。
【００８８】
本発明の追加の特徴および利点は、最適実施形態の詳細な説明に記載され、この好適実施形態および図面から明らかになるであろう。
【発明を実施するための最良の形態】
【００８９】
本発明は、種々のサイズやタイプを有する歯科器具のシステムおよび調整や訪問なしに種々の年齢の患者の不正咬合を治療する方法に関する。一実施形態では、歯科器具は、例えば、４つの領域を有する。第１のあるいは切縁領域は、唇舌側に狭いスロットを有する。切縁領域は、１以上の生歯サイズを収容するために、中間で異なる長さを有してもよい。歯科器具の第２のあるいは犬歯領域は、切縁領域の遠位端に位置する。また、犬歯領域は、犬歯の角張った２倍の切縁部を模倣するために、ウェッジ形状であってもよい。切縁部の遠位の傾斜は、患者の切歯をともに「押し込む」のに必須のものである。押し込むことにより、口腔の前部で空隙を閉鎖させる。そして、上顎切歯と下顎切歯の両側に犬歯ウェッジが適切に位置すると、切歯は適切に口腔内の中心にある。
【００９０】
歯科器具の第３の領域は、小臼歯または脱落性臼歯領域を有する。第３の領域は、脱落性臼歯を有する１１歳までの患者に提供するよう、頬舌側に形成される。一実施形態では、第３の領域は、頬舌側がより狭い小臼歯を有する１１歳以上の患者に提供するよう、頬舌側に形成されてもよい。
【００９１】
また、歯科器具は、小臼歯領域よりも頬舌側で広い第４のあるいは大人の大臼歯領域を有する。より大きい幅により、小臼歯を頬舌側および中間側で適切に位置させる。歯科器具の４つの領域、特に、切歯および犬歯領域は、種々のサイズを有する。結果として、この歯科器具は、種々の大きさの歯を有する患者を治療することができる。以下の表１は、歯科器具のシステムにおける歯科器具の大きさの例を提供する。しかしながら、この表がこれらの特定の大きさに歯科器具のサイズを制限しないことを理解されたい。
【００９２】
【表１】
2006500114.tif 000003
【００９３】
本発明のもう一つの実施形態では、歯科器具は、１以上の予め形成された上顎ソケットや下顎ソケットを持つ一つのスロットあるいは歯を案内するために隣接歯間に配置される外部突起を有する。ソケットは、切歯ソケット、犬歯ソケット、脱落性大臼歯または小臼歯ソケット、永久大臼歯ソケット、またはこれらのソケットのあらゆる組み合わせであってもよい。犬歯ソケットや下顎切歯ソケットは、下顎アーチと同様に口腔の前部で叢生がよく発生することを考慮すると、不可欠である前歯を整列する。
【００９４】
同様の符号は同様の構成要素（部品）を示す図面において、図１は、６歳以下の患者に装着され得る歯科器具１を示す。歯科器具１は、公知の歯科器具よりもその幅が狭い領域４を有する。歯科器具１は、図４に示す脱落性上顎犬歯１４を収容し得る。また、歯科器具１は、脱落性下顎犬歯２４を収容し得る。領域４は、唇舌側で脱落性大臼歯領域２よりも狭い。さらに、歯科器具１は、脱落性上顎切歯を収容する領域６を有する。領域６は、唇舌側で領域４または領域２よりも狭い。
【００９５】
歯科器具１は、狭い小臼歯３６、３８、５０または５２とは反対に、脱落性大臼歯１６、１８、２６または２８を収容するために頬舌側で狭い。患者の脱落性下顎切歯２０、２２を収容する領域（図示せず）は、脱落性下顎犬歯２４を収容する領域（図示せず）よりも唇舌側で狭い。さらに、脱落性下顎犬歯２４の収容領域は、脱落性下顎第１大臼歯２６と脱落性下顎第２大臼歯２８を収容する領域（図示せず）よりも狭い。
【００９６】
図２は、６〜１２歳の患者に装着され得る歯科器具３を示す。歯科器具３は、図５に示すように、第１永久大臼歯４０、５４を収容し得る。また、歯科器具３は、脱落性第１大臼歯１６、２６や脱落性第２大臼歯１８、２８、第１小臼歯３６、５０や第２小臼歯３８、５２、あるいは、永久犬歯３４、４８や脱落性犬歯１４、２４を収容し得る。歯科器具３は、線Ａ−Ａと線Ｂ−Ｂ間の空間１７で示すように、歯科器具１よりも大きな長さを有する。図２の線Ａ−Ａは、歯科器具１の長さを示す図１の線Ａ−Ａと同一であることを理解されたい。第１永久大臼歯が一般に６歳頃の患者に萠出するので、歯科器具３の大きい長さにより、歯科器具３は第１の永久大臼歯４０、５４を収容することができる。
【００９７】
歯科器具３は、上顎第１永久大臼歯４０と下顎第１永久大臼歯５４とを収容する領域７を有する。領域７は、脱落性下顎第２大臼歯２８または第２小臼歯５２を収容する領域（図示せず）よりも広い幅を有する。領域７は、脱落性第２大臼歯１８または第２小臼歯３８を収容する領域８よりも頬舌側に広い幅を有する。歯科器具３は、脱落性第１大臼歯１６、２６と、第１の小臼歯３６、５０とを収容する領域５を有する。領域５は、領域７の幅より小さい幅を有する。
【００９８】
図３は、１２歳以上の患者に装着される歯科器具１３を示す。歯科器具１３は、頬舌および中間方向により狭いスロット１５を有する。スロット１５は、第２の小臼歯３８、５２を収容する。歯科器具１３は、線Ｂ−Ｂと線Ｃ−Ｃの間の空間１９で示すように、歯科器具３より大きい長さを有する。図３の線Ｂ−Ｂが、歯科器具３の長さを示す図２の線Ｂ−Ｂと同一であることを理解されたい。図３の線Ａ−Ａが図１の線Ａ−Ａと同一であることを理解されたい。歯科器具１３の大きい長さにより、歯科器具１３は第２の永久大臼歯４２、５６を治療することができる。
【００９９】
図６は、特に患者の口腔の大きさであるスロット６２を有する歯科器具６１を示す。歯科器具６１は、患者の下顎の発達した位置を維持する舌タブ６０を有する。舌タブ６０は、前後顎整列とオーバージェット矯正を助ける。
【０１００】
図７は、歯科器具６１の前部６４の断面図を示す。歯科器具６１は、図４に示すように、上顎前歯１１の歯肉縁上に進む延伸された上部唇縁７０を有する。
【０１０１】
一実施形態では、切縁スロット領域７４は、狭くなるよう構成される。切縁スロットあるいはソケット領域７４は、予め形成され、あるいはカスタマイズされ、一度に１本の歯用に個々に区別されるソケットまたは２本以上の歯用のスロットからなる。下顎切縁スロット領域７６は、より狭く形成される。一実施形態では、歯科器具６１は、上顎切歯３０、３２を収容し、あるいは下顎切歯４４、４６を収容するソケット（図示せず）を予め形成している。一般に、薄い切縁部を持つ歯は、２本以上の歯用のソケットやスロットの切縁位置にはゆるくて適合しない。それゆえ、本発明では、それぞれの予め形成されたソケットは、オーバーバイトの矯正を助け、切歯の回転を増加させるために、狭い切縁部を有する。一実施形態では、犬歯を収容するソケットやスロット領域（図示せず）は、公知の歯科器具より狭く形成される。犬歯を収容するソケットまたはスロット領域は、予め形成されてもよく、カスタマイズされてもよい。
【０１０２】
もう一つの実施の形態では、図８に示すように、歯科器具８０は、切縁８２、８４間に峡部９０を有する。また、歯科器具８０は、上歯と下歯の咬合面８６、８８間の峡部９２を有する。歯科器具８０と同様に、峡部９０あるいは９２は、例えば、プラスチック、ゴムなどから構成される。峡部９０の高さの増加や峡部９２の高さの減少により、歯科器具８０は、図９Ａに示すようなオーバーバイト１００を矯正することができる。
【０１０３】
一実施形態では、図１０に示すように、歯科器具１１０は、峡部１１２と峡部１１４とを有する。峡部１１４は、離間咬合１０２を矯正することができる峡部１１２の高さよりも大きい高さを有する。また、図７に示すような縦スリット７２により、上顎切縁部７４から縦に下顎切歯の切縁部７６までの前部分（図示せず）において、離間咬合１０２を矯正することができる。結果として、歯科器具１１０は、図９Ｂに示すように、離間咬合１０２を持つ患者を治療することができる。
【０１０４】
しばしば、歯がソケットにゆるく適合されるとき、適切な回転は不可能である。しかしながら、一実施形態では、本発明の歯科器具は、咬合や歯を均一にするのを助けるために、予め形成されあるいはカスタマイズされたソケットやスロットを調整し得る。例えば、図１１は、歯科器具１３３の峡部１３１の断面図を示す。峡部１３１は、大人の大臼歯４０、４２、５４、５６や、脱落性大臼歯１６、１８、２６、２８や、小臼歯３６、３８、５０、５２を収容し得る。峡部１３１は、咬合面１２０、１２２を有し、それらは、咬合面の構造的違いを有する歯を収容するために、上部１２４と下部１２６で平らにされている。そして、患者の歯は、特定の歯や歯のグループ用に設計されたスロット内に適切に適合する。
【０１０５】
一般に、大臼歯を収容するために予め形成されたソケットは、溝１２０、１２２と、大臼歯や小臼歯の典型的な咬合面のくぼみを有する咬合面の平均的な解剖学的構造に適合するよう設計される。結果として、平坦な咬合面を有する不定型の形状の大臼歯や小臼歯は、歯科器具ソケット内の高い溝１２０、１２２によりもたらされる干渉のために、予め形成されたソケットに適切に適合しない。奥歯は完全に萠出せず、離間している咬合が適切に咬合を開けることを可能にしない。結果として、オーバーバイトを矯正することができない。
【０１０６】
図１２は、患者の犬歯を収容するソケット１３７、１３９を有する歯科器具１３５の断面図を示す。ソケット１３７、１３９は、公知の歯科器具におけるソケットポイントよりも鋭いポイント１３０、１３２を有する。ソケット１３７、１３９は、解剖学的違いにかかわらず、あらゆる犬歯がソケット１３７、１３９に適合するような形状である。結果として、歯科器具１３５は、口腔の犬歯領域において、患者の咬合の均一化や歯の咬頭嵌合を提供し得る。また、歯科器具１３５は、口腔の前部で空隙の閉鎖を助けることができる。
【０１０７】
一実施形態では、図１３に示すように、歯科器具１４１は、切歯用のスロット１４４を有する。一つのソケット１４０は、上顎アーチと下顎アーチ（図示せず）の両方において、犬歯や他のあらゆる歯のために提供される。もう一つの実施形態では、図１４に示すように、歯科器具１５０は、ウェッジ１５２、１５４を有し、それらは、犬歯３４、４８に対して正中方向の力や前方への力を与える。ウェッジ１５２、１５４は、切縁の空隙を閉鎖するのを助けることができる。また、ウェッジ１５２、１５４は、図１５に示すように、線Ｄ−Ｄで示す口腔の中心の上顎脱落性あるいは永久切歯１０、３０と下顎切歯２０、４４の間の正中関係を矯正するのを助けることができる。
【０１０８】
図１６は、歯科器具１５８の峡部１６１の断面図を示す。歯科器具１５８は、予め作られたフリーサイズの歯科器具１５８であるか、フルソケットあるいは部分ソケット／部分スロットの予め形成された歯科器具１５８である。歯科器具１５８の保持力を向上するために、ソケット／スロット領域１６４、１６６内にライナ１６０、１６２を組み込んでいる。ライナ１６０、１６２は、予め形成されあるいはカスタマイズされたソケット１６４、１６６または歯科器具１５８のある領域のスロット内に配置され、それらは、歯に接触すると歯の移動を減少あるいは止め、歯科器具１５８を装着すると、ソケット／スロット領域１６４、１６６の歯の保持と同様に、口腔内の歯科器具１５８を保持するのを助けることができる。
【０１０９】
ライナ１６０、１６２は、特に、睡眠中に口腔内に歯科器具１５８を留めておく可能性を増加する。さらに、ライナ１６０、１６２により、歯科器具１５８は、移動、回転あるいは整列を必要とする口腔の他の領域の歯とより密接に接触したままにすることができる。ライナ１６０、１６２は、例えば、堅いまたは柔らかい弾力性のプラスチック、ゴム、自己回復のアクリル、シリコーンやＰＶＣなどの義歯ライニング材料、あるいは、歯科器具１５８のある特定の領域内の個々のソケットやスロット内に配置される他の材料から構成される。個々のソケット／スロット領域１６４、１６６は、アンダーカット（下からくりぬいた部分）などの、新しく取り替えた材料（リライン材料）の保持力を増加することができる内部表面をざらざらにするあらゆる方法でそれらの内部に提供され得る。ざらざらしたあるいは網目のデザインなど（図示せず）により、歯科器具１５８の材料へのリライン材料の保持を増加させることができる。矯正を必要とする歯を矯正するとき、ライナ１６０、１６２は、矯正された歯の位置を維持するために、矯正された歯に接触する歯科器具１５８の領域に配置される。
【０１１０】
再度図１１において、歯科器具１３３は、延伸した高さ１２５と延伸した幅１２１とを有する頬縁１３８ａ、１３８ｂを有する。また、歯科器具１３３は、側切歯の遠位の領域で、歯の歯肉縁の領域の上方に舌縁１２９を有する。舌縁１２９は、延伸した高さ１２７と延伸した幅１２３とを有する。頬縁１３８ａ、１３８ｂの高さと幅の増加は、歯の移動を改善する。特に、予め形成されたフリーサイズの一つのスロットの歯科器具、完全に予め形成されあるいはカスタマイズされたソケットの歯科器具、部分的なスロット／ソケットの予め形成されあるいはカスタマイズされた歯科器具のいずれかにおいて、歯の移動は、歯科器具１３３を装着するとき、大臼歯領域において改善する。
【０１１１】
さらに、歯科器具１３３は、頬または唇にずらされた歯の萠出や移動を改善する。図１７は、歯１７０と歯科器具１３３との間の関係を示す。頬縁１３８ａ、１３８ｂと舌縁１２９の高さと幅の増加は、歯科器具１３３が歯１７０の入ってくる咬頭または歯１７０が萠出し、あるいは頬側方向、唇側方向または舌側方向に向かって移動されるように移動された歯１７０を嵌合するのを助ける。歯科器具１３３は、その歯１７０をアーチ内の適切な位置に案内し、移動する。
【０１１２】
図１８Ａおよび図１８Ｂは、唇側に萠出し、あるいは移動される上顎犬歯１８０の一例を示す。上顎犬歯１８０は、歯科器具１８１により唇側の適切な位置に案内あるいは移動される。図３２は、異種交差咬合の矯正を助けるために、歯科器具１３３内に実装される交差咬合ワイヤ挿入物１９０を示す。ワイヤ挿入物１９０は、拡大された頬縁１３８ａ、１３８ｂおよび舌縁１２９のために、歯科器具１３３内に容易に実装され得る。
【０１１３】
図１９Ａ、図１９Ｂおよび図１９Ｃは、異なる形状を有する歯科器具１８３、１８４および１８５をそれぞれ示す。具体的に、歯科器具１８３は、湾曲アーチ形状を有する。歯科器具１８４は、テーパアーチ形状を有する。また、歯科器具１８５は、正方形アーチ形状を有する。歯科器具１８３、１８４および１８５は、アーチの異なるサイズと同様に、アーチ形状の厳格さのあらゆるバリエーションを有する。
【０１１４】
一実施形態では、案内リブまたはスパイク２００、２０２が歯科器具２０１上に設けられる。案内リブ２００、２０２は、歯の中間隣接歯間領域や遠位隣接歯間領域を矯正し得る。案内リブ２００は、歯科器具２０１の唇側２０３または頬側２０４に配置される。また、案内リブ２０２は、歯科器具２０１の舌側２０５に配置される。
【０１１５】
図２１は、細長く突出した領域２２０を有する歯科器具２２１を示す。その領域２２０は、歯の正中表面や遠位表面と接触する。細長く突出した領域２２０は、唇側２２０、頬側２２３あるいは舌側２２２に配置される。突出領域２２０は、歯を回転するために、歯に圧力をかける。
【０１１６】
一実施形態では、図２２に示すように、歯科器具２３１は、歯科器具２３１の唇側にざらざらした領域２３０を有する。具体的には、ざらざら領域２３０は、上顎切歯、犬歯あるいはあらゆる上顎の歯に隣接して配置される。ざらざら領域２３２は、歯科器具２３１上に設けられ、下顎切歯やあらゆる下顎の歯に隣接して配置される。ざらざら領域２３０、２３２は、白くするストリップ（図示せず）や白くするジェル（図示せず）を保持している。
【０１１７】
一実施形態では、歯科器具（図示せず）は、例えば、水分吸収プラスチックや他の材料から構成される。歯科器具は、歯科器具の内部にフッ化物液体やジェルを吸収してもよい。フッ化物は、歯科器具が患者に装着されるとき、歯科器具から患者の歯上に侵出され、虫歯に対して予防的な保護を提供する。
【０１１８】
再度図８において、歯科器具８０は、歯科器具の前部に増加した厚さ９０を有する。歯科器具８０は、歯科器具の後部に減少した厚さ９２を有する。歯科器具は、図９Ａに示すように、永久切歯や犬歯が口腔内に萠出するときオーバーバイト１００が発達するのを防止する。増加した材料は、歯の過萠出を防止する。さらに、歯科器具は、図２３Ａに示すように、歯茎２４２を過度に露出させるのを防止する。歯がオーバーバイト１００に萠出するのを防止した後、図２３Ｂに示すように、患者の露出された歯茎２４４の量を減らす。
【０１１９】
図２４は、患者の生歯の部分に適合する歯科器具２５０を示す。例えば、歯科器具２５０は、患者の口腔の前部だけに装着されてもよい。歯科器具２５０の後部２５２は、患者の奥歯を矯正しない。代わりの実施形態では、歯科器具２５０は、予め形成されあるいはカスタマイズされたソケット、一つのスロットとして予め形成された歯科器具、または予め形成されあるいはカスタマイズされたソケットと予め形成されたスロット器具の両方の組み合わせだけを有する。
【０１２０】
一実施形態では、図２５Ａに示すように、歯科器具２６１は、唇側２６３や頬表面（図示せず）上に成形された吸盤２６０を有する。吸盤２６２は、前部領域または後部領域（図示せず）の舌側２６５上に配置される。吸盤２６０、２６２は、歯に係合してもよく、歯を適切な位置に移動してもよい。吸盤２６０、２６２は、歯科器具２６１に成形されてもよい。代わりの実施形態では、吸盤２６０は、例えば、ボール２６６とソケット２６４を利用する機構により、歯科器具２６１に挿入され、添付されてもよい。
【０１２１】
図２６は、エラストマー材料のセグメント２７０を収容する歯科器具２７１を示す。セグメント２７０は、歯科器具２７１のスロット領域２７２に、例えば、接着剤で付けられ、あるいは他の方法で取り付けられる。セグメント２７０は、移動をもたらすために、歯の領域に対して圧力をかけてもよい。セグメント２７０は、後部スロット２７２に配置されるとき離間咬合を矯正するのを助け、前部領域に配置されるときオーバーバイトを矯正する。
【０１２２】
一実施形態では、歯科器具は、写真、ビデオ、Ｘ線またはあらゆる他のデジタル情報源から、あるいは患者の口腔のデジタル化されたモデルから得られるデジタル画像から、コンピュータによって設計され得る。歯科器具は、ステレオリソグラフィで生成したモデル上に圧力または真空により形成される。代わりの実施形態では、歯科器具は、モデル（図示せず）の３次元コンピュータ生成画像から歯科器具を成形するために、ステレオリソグラフィを介して形成されてもよい。一実施形態では、歯科器具は、患者の上顎歯を収容する上部のみを有してもよい。もう一つの実施形態では、歯科器具は、患者の下顎歯を収容する下部のみを有してもよい。さらなる実施形態では、歯科器具は、次の歯列矯正を必要とせず、調整も面会もいらず、歯を矯正することができる。歯科器具は、処方箋不要の方法で販売されてもよい。
【０１２３】
一実施形態では、叢生や潜在的な叢生、それに関連する問題を有する患者のアーチを拡大するために、より大きい予め形成され、あるいは拡大されカスタマイズされた歯科器具を患者の口腔内に配置してもよい。一実施形態では、若い患者や大人の患者のアーチサイズを拡大しあるいは縮小するために、段階的サイズの歯科器具（図示せず）を用いてもよい。歯の離間や潜在的離間生歯を矯正するのにアーチを押さえつけるために、より小さい予め形成されあるいはカスタマイズされた歯科器具を患者の口腔内に配置してもよい。
【０１２４】
もう一つの実施形態では、フッ化物や白くするジェルを歯科器具に挿入してもよい。患者が歯科器具を装着すると、歯だけがそのジェルに触れる。結果として、ジェルは、患者の頬に接触することがない。さらに、歯科器具は、患者を治療するためにジェルの最低量を必要とするように、歯に密接に接触してもよい。
【０１２５】
再び図８において、側頭下顎骨問題を矯正し得る歯科器具８０の断面を提供する。歯科器具８０は、後部の厚さ９２よりも大きい前部の厚さ９０を有する。一般に、顎の前から後ろへの前後関係は、ほとんど終端間の位置で決められる。図２７は、上顎切歯２８５の位置が線２８４で垂直に示されるとともに、下顎切歯２８６が線２８０で示されるほとんど終端間の位置を示す。線２８０と線２８４の相違は、ほとんどゼロの距離２８２があるとき、ほとんど終端間の関係である。また、同じほとんど終端間の関係２８２により、図２８Ａに示すオーバージェット２９０を矯正し、あるいは、図２８Ｂの関係２９１により示すように、顎をより理想的な関係で前後にすることができる。
【０１２６】
一実施形態では、歯科器具は、材料の堅さ、柔らかさ、弾力の異なる階級を有する領域を備える。結果として、歯科器具は、より堅い材料を用いる公知の歯科器具より強力に歯に圧力を与えることができる。歯科器具は、ある領域で柔らかい材料を用いる公知の歯科器具より効果的に歯を回転させることができる。また、頬縁と舌縁は、患者に快適さを与えるために、より柔らかい材料から構成されてもよい。一実施形態では、頬縁や舌縁は、歯のより大きい移動を提供するために、より堅い材料から構成されてもよい。より柔らかい材料から形成されるとき、歯科器具は、歯肉を切りにくく、炎症や痛いところを発生させることがない。
【０１２７】
図２９は、予め形成されるタイプでカスタマイズされる歯科器具と４螺旋タイプの歯科器具とを組み合わせた歯科器具３０１を示す。結果として生じる歯科器具３０１は、頬側３００、舌後方側３１０あるいは舌前方側３０７に隣接して配置されるワイヤ３２０を有する。ワイヤ３２０は、歯にクランプで締める。クランプ３２０は、歯科器具３０１を伸縮するために拡大されても収縮させられてもよい。
【０１２８】
一実施形態では、図３０Ａに示す歯科器具３２１は、前歯を矯正するためにそれらを同時に押し込むことにより、例えば、舌方向や唇方向に力を与えるワイヤから構成される歯整列具（アライナ）を有する。ワイヤ３２０は、歯科器具３２１に組み込まれてもよい。ワイヤ歯アライナ３２０、３２２および３２４は、切歯を治療あるいは矯正するのを助ける。図３０Ｂは、歯科器具３２１の断面図を示す。唇側のワイヤ３２０は、歯に舌側への圧力を与えるために用いられる。舌側のワイヤ３２２は、歯に唇側への圧力を与える。ワイヤは、歯科器具３２１内に配置されるループ３２４によって接続されてもよい。
【０１２９】
図３１Ａと図３１Ｂは、本発明の適切な大きさの歯科器具を選択するために潜在的な患者３５０が種々の装置を用いることができるシステム３８０、３９０をそれぞれ示す。患者３５０は、１本以上の歯の中間遠位幅を計算するあらゆる方法によって、１本以上の歯を測定する。一実施形態では、患者３５０は、前歯に対して保持され得る定規３３０を用いてもよい。もう一つの実施形態では、歯科器具は、患者３５０を比較するスケールで写される歯の画像３３２を提供するパッケージ３３１を有する。一実施形態では、歯科器具の適切なサイズを決定するために、スクリーン３３３上に印刷されたディスプレイを有し、内部プロセッサ３３５に接続されるレーザまたはビデオカメラ３３４を実装してもよい。別の実施形態では、例えば、フレネルミラーなどの一つの自己フォーカスミラー３３６やカメラに用いられるような自己フォーカス装置が、適切なサイズを決定するために、患者によって実装されてもよい。
【０１３０】
一実施形態では、患者は、ワックスウェハにかみつき、いずれのタイプとサイズの歯科器具が適しているかを決定するための診断結果を提供する診断センタにそのウェハを転送してもよい。歯科器具は、使用上の指示とともに患者に配達される。
【０１３１】
一実施形態では、パッケージ、ディスプレイポスター、ＴＶ、ダイレクトメール、インターネット広告などに、歯科器具によって矯正されあるいは矯正されない適切なおよび不適切な不正咬合を表示してもよい。
【０１３２】
一実施形態では、患者の生歯の画像を取得するために、ビデオカメラ、デジタルカメラ、デジタルＸ線、あるいは他の情報源を用いてもよい。患者は、第１の側から第２の側に頭を回し、あるいは、上下に頭を傾ける。診断を提供するために、患者の得られた画像を用いてもよい。診断は、コンピュータまたは個人により提供され、コンピュータと個人のいずれかは、患者に適切なタイプとサイズの歯科器具を推奨してもよい。歯科器具は、使用の指示とともに患者に提供される。
【０１３３】
一実施形態では、患者の歯は、同一の口腔内のすべての歯と完全に調整され、図５に示すように、完全な咬合を有するような方法で配列されるべき完全な生歯である各歯からなるボルトン不一致基準と同様に、統計的平均に従って完全な調整になる。そのような完全な調整により、完全な調和された生歯を持つ個人のすべての歯を、歯のサイズのあらゆる変動もなく、すべてのソケットに適合するすべての歯で歯科器具にかみつかせることができる。サイズや配列の変更が存在すると、変動を矯正させる。また、この完全な調整は、歯の移動の効率を増加させ、歯科器具を装着するとき、患者の快適さを増加させることができる。
【０１３４】
現在好適な実施形態に種々の変更や改良を加えることは当業者にとって明白であることを理解されたい。このような変更や修正は、本発明の精神と範囲から逸脱することなく、また、本発明の効果を減少させることなくなされるであろう。
【図面の簡単な説明】
【０１３５】
【図１】本発明の一実施形態における歯科器具の斜視図を示す。
【図２】本発明の一実施形態における歯科器具の斜視図を示す。
【図３】本発明の一実施形態における歯科器具の斜視図を示す。
【図４】個人の上歯とした歯の側面図を示す。
【図５】個人の上歯とした歯の側面図を示す。
【図６】本発明の一実施形態における歯科器具の上部斜視図を示す。
【図７】図６の歯科器具の前部の断面図を示す。
【図８】本発明の一実施形態における歯科器具の断面図を示す。
【図９】個人の切縁関係の側面図を示す。
【図１０】本発明の一実施形態における歯科器具の断面図を示す。
【図１１】本発明の一実施形態における歯科器具の峡部の断面図を示す。
【図１２】本発明の一実施形態における歯科器具の断面図を示す。
【図１３】本発明の一実施形態における歯科器具の平面図を示す。
【図１４】本発明の一実施形態における歯科器具の断面図を示す。
【図１５】個人の前歯の正面図を示す。
【図１６】本発明の一実施形態における歯科器具の峡部の断面図を示す。
【図１７】本発明の一実施形態における歯科器具との関係で、患者の歯の断面図を示す。
【図１８】本発明の一実施形態における歯科器具との関係で、患者の犬歯の断面図を示す。
【図１９】本発明の一実施形態における歯科器具の平面図を示す。
【図２０】本発明の一実施形態における歯科器具の平面図を示す。
【図２１】本発明の一実施形態における歯科器具の平面図を示す。
【図２２】本発明の一実施形態における歯科器具の正面図を示す。
【図２３】患者の口腔の正面図を示す。
【図２４】本発明の一実施形態における歯科器具の側部斜視図を示す。
【図２５】本発明の一実施形態における歯科器具の断面図（部分断面図）を示す。
【図２６】本発明の一実施形態における歯科器具の側部斜視図を示す。
【図２７】本発明の一実施形態における歯科器具の前部の断面図を示す。
【図２８】個人の上顎切歯と下顎切歯の側面図を示す。
【図２９】本発明の一実施形態における歯科器具の側部斜視図を示す。
【図３０】図３０Ａは、本発明の一実施形態における歯科器具の平面図を示し、図３０Ｂは、図３０Ａの歯科器具の前部の断面図を示す。
【図３１】将来の患者が本発明の一実施形態における歯科器具を選択し得るシステムを示す。
【図３２】本発明の一実施形態における歯科器具との関係で、患者の小臼歯の断面図を示す。
【図１】
2006500114.tif 000004
【図２】
2006500114.tif 000005
【図３】
2006500114.tif 000006
【図４】
2006500114.tif 000007
【図５】
2006500114.tif 000008
【図６】
2006500114.tif 000009
【図７】
2006500114.tif 000010
【図８】
2006500114.tif 000011
【図９】
2006500114.tif 000012
【図１０】
2006500114.tif 000013
【図１１】
2006500114.tif 000014
【図１２】
2006500114.tif 000015
【図１３】
2006500114.tif 000016
【図１４】
2006500114.tif 000017
【図１５】
2006500114.tif 000018
【図１６】
2006500114.tif 000019
【図１７】
2006500114.tif 000020
【図１８】
2006500114.tif 000021
【図１９】
2006500114.tif 000022
【図２０】
2006500114.tif 000023
【図２１】
2006500114.tif 000024
【図２２】
2006500114.tif 000025
【図２３】
2006500114.tif 000026
【図２４】
2006500114.tif 000027
【図２５】
2006500114.tif 000028
【図２６】
2006500114.tif 000029
【図２７】
2006500114.tif 000030
【図２８】
2006500114.tif 000031
【図２９】
2006500114.tif 000032
【図３０】
2006500114.tif 000033
【図３１】
2006500114.tif 000034
【図３２】
2006500114.tif 000035
【国際調査報告】
2006500114.tif 000036
2006500114.tif 000037